(57)【要約】【課題】露光ヘッドで用いられる２枚のレンズアレイの取り違いを防止することを可能とする技術の提供を目的とする。【解決手段】光を発光する発光素子を第１の方向に配設する発光素子基板と、第１のレンズを配設する第１のレンズアレイと、第１のレンズと異なる形状を有する第２のレンズを配設し、第１の方向と直交もしくは略直交する第２の方向に第１のレンズアレイの長さと異なる長さを有する第２のレンズアレイと、を備え、発光素子基板、第１のレンズアレイ、および第２のレンズアレイは、発光素子から出た光が第１のレンズを通過した後に、第２のレンズを通過して像面に結像するように配設される。【選択図】図９
2011073228.tif 000002
【特許請求の範囲】
【請求項１】
光を発光する発光素子を第１の方向に配設する発光素子基板と、
第１のレンズを配設する第１のレンズアレイと、
前記第１のレンズと異なる形状を有する第２のレンズを配設し、前記第１の方向と直交もしくは略直交する第２の方向に前記第１のレンズアレイの長さと異なる長さを有する第２のレンズアレイと、を備え、
前記発光素子基板、前記第１のレンズアレイ、および前記第２のレンズアレイは、前記発光素子から出た光が前記第１のレンズを通過した後に、前記第２のレンズを通過して像面に結像するように配設されることを特徴とする露光ヘッド。
【請求項２】
前記第２のレンズアレイの前記第２の方向の長さは第１のレンズアレイの前記第２の方向の長さより短い請求項１に記載の露光ヘッド。
【請求項３】
前記第１のレンズおよび前記第２のレンズは、光硬化性樹脂で形成される請求項１または２に記載の露光ヘッド。
【請求項４】
第１のレンズを配設する第１のレンズアレイと、
前記第１のレンズと異なる形状を有する第２のレンズ、及び前記第２のレンズの第１の方向に配設される第３のレンズを有し、前記第１の方向と直交する第２の方向の長さが前記第１のレンズアレイの第２の方向の長さと異なる第２のレンズアレイと、を備え、
前記第１のレンズアレイ、および、前記第２のレンズアレイは、前記第１のレンズの光軸と前記第２のレンズの光軸とが一致または略一致するように配設されることを特徴とする露光ヘッド用光学ユニット。
【請求項５】
潜像が形成される潜像担持体と、
光を発光する発光素子を第１の方向に配設する発光素子基板、第１のレンズを配設する第１のレンズアレイ、及び前記第１のレンズと異なる形状を有する第２のレンズを配設して前記第１の方向と直交もしくは略直交する第２の方向に前記第１のレンズアレイの長さと異なる長さを有する第２のレンズアレイを備え、前記発光素子基板、前記第１のレンズアレイ、および前記第２のレンズアレイは、前記発光素子から出た光が前記第１のレンズを通過した後に、前記第２のレンズを通過して前記潜像担持体を照射して潜像を形成するように配設される露光ヘッドと、
前記潜像担持体に形成された前記潜像を現像する現像部と、
を備えることを特徴とする画像形成装置。
【発明の詳細な説明】
【技術分野】
【０００１】
この発明は、レンズアレイを用いた露光ヘッド、露光ヘッド用光学ユニットおよび画像形成装置に関する。
【背景技術】
【０００２】
特許文献１に記載のように、複数のレンズを長手方向にアレイ状に配列したレンズアレイを用いて露光ヘッドを構成することができる。つまり、この露光ヘッドは、レンズアレイの各レンズを透過した光を被露光面にスポットとして照射して、被露光面を露光する。
【０００３】
また、特許文献１の露光ヘッドでは、所望の光学的特性を実現するために、２枚のレンズアレイを厚さ方向（同文献の「光ビームの進行方向Ｄoa」）に対向させて配設する構成が提案されている。この構成を備えた露光ヘッドでは、２枚のレンズアレイの各レンズが厚さ方向からの平面視において重なり合うように、各レンズが配設されている。そして、該平面視において重なる２枚のレンズが協働して１つの光学系として機能する。つまり、これらの２枚のレンズを透過した光が被露光面にスポットとして照射されて、該被露光面が露光される。
【先行技術文献】
【特許文献】
【０００４】
【特許文献１】特開２００９−０３７１９９号公報
【発明の概要】
【発明が解決しようとする課題】
【０００５】
ところで、上述のように、１つの光学系を構成する２枚のレンズは、当該光学系に求められる光学特性に応じてそれぞれの形状が設計されている。そして、通常、これら２枚のレンズは互いに異なる形状を有しており、一方のレンズが作用を与えた光に対して他方のレンズがさらに一方のレンズと異なる作用を与えることで、被露光面にスポットが形成される。換言すれば、一方のレンズと他方のレンズとが所定の順番で光に作用するように配設されることで、一方および他方のレンズで構成される光学系が適切な光学的特性を発揮することができる。したがって、露光ヘッドにおいては、これら２枚のレンズアレイが、正しい順序で配設されていることが必要である。
【０００６】
しかしながら、厚さ方向に配設される２枚のレンズアレイはいずれも複数のレンズを長手方向に並べたものであって互いに似た構成を有している。そのため、露光ヘッドの製造時にこれらのレンズアレイが取り違えられてしまうことが考えられる。そして、その結果、これら２枚のレンズアレイが正しい順序で配設されずに、露光ヘッドの光学特性が所定の特性から大幅にずれてしまうおそれがあった。
【０００７】
この発明は上記課題に鑑みてなされたものであり、２枚のレンズアレイの取り違いを防止することを可能とする技術の提供を目的とする。
【課題を解決するための手段】
【０００８】
この発明にかかる露光ヘッドは、上記目的を達成するために、光を発光する発光素子を第１の方向に配設する発光素子基板と、第１のレンズを配設する第１のレンズアレイと、第１のレンズと異なる形状を有する第２のレンズを配設し、第１の方向と直交もしくは略直交する第２の方向に第１のレンズアレイの長さと異なる長さを有する第２のレンズアレイと、を備え、発光素子基板、第１のレンズアレイ、および第２のレンズアレイは、発光素子から出た光が第１のレンズを通過した後に、第２のレンズを通過して像面に結像するように配設されることを特徴としている。
【０００９】
また、この発明にかかる露光ヘッド用光学ユニットは、上記目的を達成するために、第１のレンズを配設する第１のレンズアレイと、第１のレンズと異なる形状を有する第２のレンズ、及び第２のレンズの第１の方向に配設される第３のレンズを有し、第１の方向と直交する第２の方向の長さが第１のレンズアレイの第２の方向の長さと異なる第２のレンズアレイと、を備え、第１のレンズアレイ、および、第２のレンズアレイは、第１のレンズの光軸と第２のレンズの光軸とが一致または略一致するように配設されることを特徴としている。
【００１０】
また、この発明にかかる画像形成装置は、上記目的を達成するために、潜像が形成される潜像担持体と、光を発光する発光素子を第１の方向に配設する発光素子基板、第１のレンズを配設する第１のレンズアレイ、及び第１のレンズと異なる形状を有する第２のレンズを配設して第１の方向と直交もしくは略直交する第２の方向に第１のレンズアレイの長さと異なる長さを有する第２のレンズアレイを備え、発光素子基板、第１のレンズアレイ、および第２のレンズアレイは、発光素子から出た光が第１のレンズを通過した後に、第２のレンズを通過して潜像担持体を照射して潜像を形成するように配設される露光ヘッドと、潜像担持体に形成された潜像を現像する現像部と、を備えることを特徴としている。
【００１１】
このように構成された発明（露光ヘッド、露光ヘッド用光学ユニット、画像形成装置）では、第１のレンズを配設した第１のレンズアレイと第２のレンズアレイとが設けられており、第１のレンズから射出された光が当該第１のレンズと異なる形状を有する第２のレンズに入射することで、第１のレンズと第２のレンズとが１つの光学系として機能する。したがって、この光学系が適切な光学特性を発揮するためには、第１のレンズから射出された光が第２のレンズに入射するように第１のレンズアレイおよび第２のレンズアレイが配設されることが必要となる。しかしながら、第１のレンズアレイおよび第２のレンズアレイはいずれもレンズ（第１のレンズ、第２のレンズ）を配設したものであって互いに似た構成を有している。そのため、製造時にこれらのレンズアレイが取り違えられてしまうことが考えられる。そこで、本発明では、第１の方向に直交する第２の方向に、第１のレンズアレイの長さと第２のレンズアレイの長さとが異なっている。したがって、第１のレンズアレイおよび第２のレンズアレイとをそれぞれの第２の方向への長さの違いに基づいて容易に区別することができ、第１のレンズアレイと第２のレンズアレイとのとり違いを防止することが可能となっている。なお、第１のレンズアレイおよび第２のレンズアレイの第２方向の長さの違いは、組立作業者によって判断しても良いし、ＣＣＤセンサー(Charge Coupled Device Image Sensor)等を用いた画像認識装置によって判断しても良い。
【００１２】
また、第２のレンズアレイの第２の方向の長さは第１のレンズアレイの第２の方向の長さより短いように構成しても良い。
【００１３】
また、第１のレンズおよび第２のレンズは、光硬化性樹脂で形成されても良い。つまり、光硬化性樹脂は、光を照射することで速やかに硬化するため、第１のレンズおよび第２のレンズを簡便に作製することを可能とし、露光ヘッドを簡便に生産するのに有利となる。
【図面の簡単な説明】
【００１４】
【図１】本発明を適用可能な画像形成装置の一例を示す図。
【図２】図１の画像形成装置が備える電気的構成を示すブロック図。
【図３】ラインヘッドの概略を示す部分斜視図。
【図４】厚さ方向ＴＫＤからヘッド基板を平面視した部分平面図。
【図５】ラインヘッドのＡ−Ａ線における部分断面図。
【図６】ラインヘッドの部分側面図。
【図７】レンズアレイＬＡ1の支持態様を示す部分平面図。
【図８】レンズアレイＬＡ2の支持態様を示す部分平面図。
【図９】厚さ方向に並ぶレンズアレイの寸法関係を模式的に示す部分断面図。
【発明を実施するための形態】
【００１５】
図１は本発明を適用可能な画像形成装置の一例を示す図である。また、図２は図１の画像形成装置が備える電気的構成を示すブロック図である。この装置は、ブラック（Ｋ）、シアン（Ｃ）、マゼンダ（Ｍ）、イエロー（Ｙ）の４色のトナーを重ね合わせてカラー画像を形成するカラーモードと、ブラック（Ｋ）のトナーのみを用いてモノクロ画像を形成するモノクロモードとを選択的に実行可能な画像形成装置である。なお図１は、カラーモード実行時に対応する図である。この画像形成装置では、ホストコンピューターなどの外部装置から画像形成指令がＣＰＵやメモリーなどを有するメインコントローラーＭＣに与えられると、このメインコントローラーＭＣはエンジンコントローラーＥＣに制御信号などを与えるとともに画像形成指令に対応するビデオデータＶＤをヘッドコントローラーＨＣに与える。このとき、メインコントローラーＭＣは、ヘッドコントローラーＨＣから水平リクエスト信号ＨＲＥＱを受け取る毎に、主走査方向ＭＤに１ライン分のビデオデータＶＤをヘッドコントローラーＨＣに与える。また、このヘッドコントローラーＨＣは、メインコントローラーＭＣからのビデオデータＶＤとエンジンコントローラーＥＣからの垂直同期信号Ｖsyncおよびパラメータ値とに基づき各色のラインヘッド２９を制御する。これによって、エンジン部ＥＮＧが所定の画像形成動作を実行し、複写紙、転写紙、用紙およびＯＨＰ用透明シートなどのシートに画像形成指令に対応する画像を形成する。
【００１６】
画像形成装置が有するハウジング本体３内には、電源回路基板、メインコントローラーＭＣ、エンジンコントローラーＥＣおよびヘッドコントローラーＨＣを内蔵する電装品ボックス５が設けられている。また、画像形成ユニット７、転写ベルトユニット８および給紙ユニット１１もハウジング本体３内に配設されている。また、図１においてハウジング本体３内右側には、２次転写ユニット１２、定着ユニット１３、シート案内部材１５が配設されている。なお、給紙ユニット１１は、装置本体１に対して着脱自在に構成されている。そして、該給紙ユニット１１および転写ベルトユニット８については、それぞれ取り外して修理または交換を行うことが可能な構成になっている。
【００１７】
画像形成ユニット７は、複数の異なる色の画像を形成する４個の画像形成ステーションＹ（イエロー用）、Ｍ（マゼンダ用）、Ｃ（シアン用）、Ｋ（ブラック用）を備えている。また、各画像形成ステーションＹ，Ｍ，Ｃ，Ｋは、主走査方向ＭＤに所定長さの表面を有する円筒形の感光体ドラム２１を設けている。そして、各画像形成ステーションＹ，Ｍ，Ｃ，Ｋそれぞれは、対応する色のトナー像を、感光体ドラム２１の表面に形成する。感光体ドラム２１は、軸方向が主走査方向ＭＤに平行もしくは略平行となるように配置されている。また、各感光体ドラム２１はそれぞれ専用の駆動モーターに接続され図中矢印Ｄ21の方向に所定速度で回転駆動される。これにより感光体ドラム２１の表面が、主走査方向ＭＤに直交もしくは略直交する副走査方向ＳＤに搬送されることとなる。また、感光体ドラム２１の周囲には、回転方向に沿って帯電部２３、ラインヘッド２９、現像部２５および感光体クリーナー２７が配設されている。そして、これらの機能部によって帯電動作、潜像形成動作及びトナー現像動作が実行される。したがって、カラーモード実行時は、全ての画像形成ステーションＹ，Ｍ，Ｃ，Ｋで形成されたトナー像を転写ベルトユニット８が有する転写ベルト８１に重ね合わせてカラー画像を形成するとともに、モノクロモード実行時は、画像形成ステーションＫで形成されたトナー像のみを用いてモノクロ画像を形成する。なお、図１において、画像形成ユニット７の各画像形成ステーションは構成が互いに同一のため、図示の便宜上一部の画像形成ステーションのみに符号をつけて、他の画像形成ステーションについては符号を省略する。
【００１８】
帯電部２３は、その表面が弾性ゴムで構成された帯電ローラーを備えている。この帯電ローラーは帯電位置で感光体ドラム２１の表面と当接して従動回転するように構成されており、感光体ドラム２１の回転動作に伴って感光体ドラム２１に対して従動方向に周速で従動回転する。また、この帯電ローラーは帯電バイアス発生部（図示省略）に接続されており、帯電バイアス発生部からの帯電バイアスの給電を受けて帯電部２３と感光体ドラム２１が当接する帯電位置で感光体ドラム２１の表面を帯電させる。
【００１９】
ラインヘッド２９は感光体ドラム２１に対して離間して配置されており、ラインヘッド２９の長手方向は主走査方向ＭＤに平行もしくは略平行であるとともに、ラインヘッド２９の幅方向は副走査方向ＳＤに平行もしくは略平行である。つまり、長手方向ＬＧＤと幅方向ＬＴＤとは互いに直交もしくは略直交している。このラインヘッド２９は複数の発光素子を備えており、各発光素子はヘッドコントローラーＨＣからのビデオデータＶＤに応じて発光する。そして、帯電した感光体ドラム２１表面に発光素子からの光が照射されることで、感光体ドラム２１表面に静電潜像が形成される。
【００２０】
現像部２５は、その表面にトナーを担持する現像ローラー２５１を有する。そして、現像ローラー２５１と電気的に接続された現像バイアス発生部（図示省略）から現像ローラー２５１に印加される現像バイアスによって、現像ローラー２５１と感光体ドラム２１とが当接する現像位置において、帯電トナーが現像ローラー２５１から感光体ドラム２１に移動してラインヘッド２９により形成された静電潜像が顕在化される。
【００２１】
このように上記現像位置において顕在化されたトナー像は、感光体ドラム２１の回転方向Ｄ21に搬送された後、転写ベルト８１と各感光体ドラム２１が当接する１次転写位置ＴＲ1において転写ベルト８１に１次転写される。
【００２２】
また、この実施形態では、感光体ドラム２１の回転方向Ｄ21の１次転写位置ＴＲ1の下流側で且つ帯電部２３の上流側に、感光体ドラム２１の表面に当接して感光体クリーナー２７が設けられている。この感光体クリーナー２７は、感光体ドラムの表面に当接することで１次転写後に感光体ドラム２１の表面に残留するトナーをクリーニング除去する。
【００２３】
転写ベルトユニット８は、駆動ローラー８２と、図１において駆動ローラー８２の左側に配設される従動ローラー８３（ブレード対向ローラー）と、これらのローラーに張架され図示矢印Ｄ81の方向（搬送方向）へ循環駆動される転写ベルト８１とを備えている。また、転写ベルトユニット８は、転写ベルト８１の内側に、感光体カートリッジ装着時において各画像形成ステーションＹ，Ｍ，Ｃ，Ｋが有する感光体ドラム２１各々に対して一対一で対向配置される、４個の１次転写ローラー８５Ｙ，８５Ｍ，８５Ｃ，８５Ｋを備えている。これらの１次転写ローラー８５は、それぞれ１次転写バイアス発生部（図示省略）と電気的に接続される。そして、カラーモード実行時は、図１に示すように全ての１次転写ローラー８５Ｙ，８５Ｍ，８５Ｃ，８５Ｋを画像形成ステーションＹ，Ｍ，Ｃ，Ｋ側に位置決めすることで、転写ベルト８１を画像形成ステーションＹ，Ｍ，Ｃ，Ｋそれぞれが有する感光体ドラム２１に押し遣り当接させて、各感光体ドラム２１と転写ベルト８１との間に１次転写位置ＴＲ1を形成する。そして、適当なタイミングで上記１次転写バイアス発生部から１次転写ローラー８５に１次転写バイアスを印加することで、各感光体ドラム２１の表面上に形成されたトナー像を、それぞれに対応する１次転写位置ＴＲ1において転写ベルト８１表面に転写してカラー画像を形成する。
【００２４】
一方、モノクロモード実行時は、４個の１次転写ローラー８５のうち、カラー１次転写ローラー８５Ｙ，８５Ｍ，８５Ｃをそれぞれが対向する画像形成ステーションＹ，Ｍ，Ｃから離間させるとともにモノクロ１次転写ローラー８５Ｋのみを画像形成ステーションＫに当接させることで、モノクロ画像形成ステーションＫのみを転写ベルト８１に当接させる。その結果、モノクロ１次転写ローラー８５Ｋと画像形成ステーションＫとの間にのみ１次転写位置ＴＲ1が形成される。そして、適当なタイミングで前記１次転写バイアス発生部からモノクロ１次転写ローラー８５Ｋに１次転写バイアスを印加することで、各感光体ドラム２１の表面上に形成されたトナー像を、１次転写位置ＴＲ1において転写ベルト８１表面に転写してモノクロ画像を形成する。
【００２５】
さらに、転写ベルトユニット８は、モノクロ１次転写ローラー８５Ｋの下流側で且つ駆動ローラー８２の上流側に配設された下流ガイドローラー８６を備える。また、この下流ガイドローラー８６は、モノクロ１次転写ローラー８５Ｋが画像形成ステーションＫの感光体ドラム２１に当接して形成する１次転写位置ＴＲ1での１次転写ローラー８５Ｋと感光体ドラム２１との共通内接線上において、転写ベルト８１に当接するように構成されている。
【００２６】
駆動ローラー８２は、転写ベルト８１を図示矢印Ｄ81の方向に循環駆動するとともに、２次転写ローラー１２１のバックアップローラーを兼ねている。駆動ローラー８２の周面には、厚さ３mm程度、体積抵抗率が１０００ｋΩ・ｃｍ以下のゴム層が形成されており、金属製の軸を介して接地することにより、図示を省略する２次転写バイアス発生部から２次転写ローラー１２１を介して供給される２次転写バイアスの導電経路としている。このように駆動ローラー８２に高摩擦かつ衝撃吸収性を有するゴム層を設けることにより、駆動ローラー８２と２次転写ローラー１２１との当接部分（２次転写位置ＴＲ２）へのシートが進入する際の衝撃が転写ベルト８１に伝達しにくく、画質の劣化を防止することができる。
【００２７】
給紙ユニット１１は、シートを積層保持可能である給紙カセット７７と、給紙カセット７７からシートを一枚ずつ給紙するピックアップローラー７９とを有する給紙部を備えている。ピックアップローラー７９により給紙部から給紙されたシートは、レジストローラー対８０において給紙タイミングが調整された後、シート案内部材１５に沿って２次転写位置ＴＲ２に給紙される。
【００２８】
２次転写ローラー１２１は、転写ベルト８１に対して離当接自在に設けられ、２次転写ローラー駆動機構（図示省略）により離当接駆動される。定着ユニット１３は、ハロゲンヒータ等の発熱体を内蔵して回転自在な加熱ローラー１３１と、この加熱ローラー１３１を押圧付勢する加圧部１３２とを有している。そして、その表面に画像が２次転写されたシートは、シート案内部材１５により、加熱ローラー１３１と加圧部１３２の加圧ベルト１３２３とで形成するニップ部に案内され、該ニップ部において所定の温度で画像が熱定着される。加圧部１３２は、２つのローラー１３２１，１３２２と、これらに張架される加圧ベルト１３２３とで構成されている。そして、加圧ベルト１３２３の表面のうち、２つのローラー１３２１，１３２２により張られたベルト張面を加熱ローラー１３１の周面に押し付けることで、加熱ローラー１３１と加圧ベルト１３２３とで形成するニップ部が広くとれるように構成されている。また、こうして定着処理を受けたシートはハウジング本体３の上面部に設けられた排紙トレイ４に搬送される。
【００２９】
また、この装置では、ブレード対向ローラー８３に対向してクリーナー部７１が配設されている。クリーナー部７１は、クリーナーブレード７１１と廃トナーボックス７１３とを有する。クリーナーブレード７１１は、その先端部を転写ベルト８１を介してブレード対向ローラー８３に当接することで、２次転写後に転写ベルトに残留するトナーや紙粉等の異物を除去する。そして、このように除去された異物は、廃トナーボックス７１３に回収される。
【００３０】
図３は、ラインヘッドの概略を示す部分斜視図である。同図では、ラインヘッド２９の厚さ方向ＴＫＤの構成を理解しやすくするために、ラインヘッド２９の長手方向ＬＧＤの端部（図３の左下端部）が断面で示されている。ここで、厚さ方向ＴＫＤは、長手方向ＬＧＤおよび幅方向ＬＴＤに垂直もしくは略垂直な方向であり、後述する発光素子Ｅが光を射出する側（つまり、ラインヘッド２９から感光体ドラム２１に向う側）を向いた方向とする。また、以後の実施形態の説明において、厚さ方向ＴＫＤの下流側（図３の上側）を「（厚さ方向ＴＫＤの）一方側」と称し、厚さ方向ＴＫＤの上流側（図３の下側）を「（厚さ方向ＴＫＤの）他方側」と称する。また、基板あるいは平板の一方側の面を表面と称し、基板あるいは平板の他方側の面を裏面と称することとする。
【００３１】
なお、この厚さ方向ＴＫＤは、後述するレンズアレイＬＡ1のレンズＬＳ1とレンズアレイＬＡ2のレンズＬＳ2とが構成する結像光学系の光軸ＯＡ（図５）に平行である。ここで、光軸は次のように定義される。結像光学系は多くの場合、主走査方向ＭＤに垂直な対称面に関して面対称（鏡映対称）であり、かつ、副走査方向ＳＤに垂直な対称面に関して面対称（鏡映対称）である。このように、結像光学系は、主走査方向に垂直な第１対称面、および当該主走査方向ＭＤと直交する副走査方向ＳＤに垂直な第２対称面を有し、第１対称面と第２対称面の交線が定まる。結像光学系が回転対称である場合には、前述の第１対称面と第２対称面の交線は光軸と一致する。結像光学系が回転対称でない場合、厳密には結像光学系の光軸が定義されない場合があるが、そのような場合には、前述の交線を光軸として取り扱えばよい。
【００３２】
ラインヘッド２９は、ヘッド基板２９３、遮光部材２９７、レンズアレイＬＡ1およびレンズアレイＬＡ2をこの順番で厚さ方向ＴＫＤに配置した概略構成を備えている。ヘッド基板２９３の裏面には、複数の発光素子Ｅが所定個数毎に発光素子グループＥＧとしてグループ化されて二次元的かつ離散的に配置されている。また、ヘッド基板２９３の裏面には、これら複数の発光素子Ｅを封止するための封止部材２９４が取り付けられており、さらに、この封止部材２９４の裏面にはラインヘッド２９を構成する上記各部材を支持するための剛性部材２９９が取り付けられている。
【００３３】
ヘッド基板２９３とレンズアレイＬＡ1との間にはスペーサーＳＰ1が設けられており、このスペーサーＳＰ1がヘッド基板２９３とレンズアレイＬＡ1との間隔を規定する。なお、ヘッド基板２９３とレンズアレイＬＡ1との間には遮光部材２９７が配置されており、スペーサーＳＰ1は、遮光部材２９７に対して厚さ方向ＴＫＤ一方側で若干の間隔を空けてレンズアレイＬＡ1を支持する。また、レンズアレイＬＡ1とレンズアレイＬＡ2との間にはスペーサーＳＰ2が設けられており、このスペーサーＳＰ2がレンズアレイＬＡ1とレンズアレイＬＡ2との間隔を規定しながらレンズアレイＬＡ2を支持する。
【００３４】
こうしてラインヘッド２９では、ヘッド基板２９３、遮光部材２９７およびレンズアレイＬＡ1、ＬＡ2がこの順番で並んでいる。そして、ヘッド基板２９３の発光素子Ｅからの光が、遮光部材２９７の導光孔２９７１を通過して、レンズアレイＬＡ1、ＬＡ2のレンズＬＳ1、ＬＳ2により結像される。次に、各部材の詳細な構成について、図３、図４および図５を用いつつ説明する。
【００３５】
図４は、厚さ方向ＴＫＤからヘッド基板２９３を平面視した部分平面図であり、厚さ方向ＴＫＤの一方側（図３の上側）からヘッド基板２９３の裏面２９３−tを透視した場合に相当する。図５は、ラインヘッドのＡ−Ａ線における部分断面図であり、該断面を長手方向ＬＧＤ（主走査方向ＭＤ）から見た場合に相当する。このＡ−Ａ線断面は、長手方向ＬＧＤに距離Ｄgを空けるとともに幅方向ＬＴＤに距離Ｄtを空けて、一列に並ぶ３個の発光素子グループＥＧ（あるいは、３枚のレンズＬＳ1等）の各幾何重心（あるいは、各レンズ中心）を通る。また、図４に示す方向Ｄlscは、Ａ−Ａ線に平行な方向である。さらに、図４では、ヘッド基板２９３に形成された発光素子グループＥＧ、レンズアレイＬＡ1に形成されたレンズＬＳ1およびレンズアレイＬＡ2に形成されたレンズＬＳ2の位置関係を示すために、レンズＬＳ1およびレンズＬＳ2がそれぞれ一点鎖線で併記されている。ちなみに、レンズＬＳ1およびレンズＬＳ2についての図中記載は、これらの位置関係を示すためのものであり、レンズＬＳ1およびレンズＬＳ2がヘッド基板裏面２９３−t（図５）に形成されていることを示すものではない。また、図５において、光透過性（つまり透明）である部材には、点の集合からなるハッチングが施されている。
【００３６】
ヘッド基板２９３は光を透過するガラス基板（光透過性基板）で構成されており、ヘッド基板裏面２９３−tでは、ボトムエミッション型の有機ＥＬ（Electro-Luminescence）素子である発光素子Ｅが複数形成されて、封止部材２９４により封止されている（図３、図５）。これら複数の発光素子Ｅは、互いに同一の発光スペクトルを有しており、光ビームを感光体ドラム２１表面へ向けて射出する。また、図４に示すように、ヘッド基板裏面２９３−tに形成された複数の発光素子Ｅの配置態様は、グループ構造を有している。つまり、１５個の発光素子Ｅが長手方向ＬＧＤに２行千鳥で配置されて１個の発光素子グループＥＧが構成されており、さらに複数の発光素子グループＥＧが長手方向ＬＧＤに３行千鳥で離散的に配置されている。
【００３７】
より詳しくは、この配置態様は次のように説明することができる。つまり、各発光素子グループＥＧ内では、１５個の発光素子Ｅが長手方向ＬＧＤの互いに異なる位置に配置されており、しかも長手方向ＬＧＤにおける位置が隣り合う２つの発光素子Ｅ、Ｅの長手方向ＬＧＤへの距離は素子間距離Ｐelとなっている（言い換えれば、各発光素子グループＥＧ内では、１５個の発光素子ＥがピッチＰelで長手方向ＬＧＤに配置されている）。そして、素子間距離Ｐelよりも長いグループ間距離Ｐegを空けて複数の発光素子グループＥＧが長手方向ＬＧＤに沿って離散的に並んで、１行の発光素子グループ行ＧＲa等が構成されている。さらに、３行の発光素子グループ行ＧＲa、ＧＲb、ＧＲcが距離Ｄtだけ空けて幅方向ＬＴＤの異なる位置に離散的に配置されており、しかも、発光素子グループ行ＧＲa、ＧＲb、ＧＲcのそれぞれは、長手方向ＬＧＤに距離Ｄgだけ相互にシフトされている。こうして、３個の発光素子グループＥＧが、長手方向ＬＧＤに距離Ｄgを空けるとともに幅方向ＬＴＤに距離Ｄtを空けて、方向Ｄlscに一列に並ぶ。
【００３８】
ここで、素子間距離Ｐelは、対象となる２個の発光素子Ｅの幾何重心間の長手方向ＬＧＤにおける距離として求めることができる。また、グループ間距離Ｐegは、対象となる２個の発光素子グループＥＧのうち、長手方向ＬＧＤの一方側の発光素子グループＥＧの他方側端部にある発光素子Ｅの幾何重心と、長手方向ＬＧＤの他方側の発光素子グループＥＧの一方側端部にある発光素子Ｅの幾何重心との長手方向ＬＧＤにおける距離として求めることができる。また、距離Ｄgは、長手方向ＬＧＤにおける位置が隣り合う２個の発光素子グループＥＧそれぞれの幾何重心間の長手方向ＬＧＤにおける距離として求めることができる。また、距離Ｄtは、幅方向ＬＴＤにおける位置が隣り合う２個の発光素子グループＥＧそれぞれの幾何重心間の幅方向ＬＴＤにおける距離として求めることができる。
【００３９】
このようにヘッド基板２９３の裏面２９３−tには、複数の発光素子グループＥＧが二次元的かつ離散的に配置されている。一方、ヘッド基板２９３の表面２９３−hには、遮光部材２９７が配置されている。遮光部材２９７には厚さ方向ＴＫＤに貫通する導光孔２９７１が複数形成されている。各導光孔２９７１は厚さ方向ＴＫＤからの平面視において円形状を有しており、その内壁には黒色メッキが施されている。この導光孔２９７１は、発光素子グループＥＧ毎に１個ずつ形成されており、すなわち、１個の発光素子グループＥＧに対して１個の導光孔２９７１が開口している。こうして、遮光部材２９７は、導光孔２９７１を発光素子グループＥＧに開口させた状態でヘッド基板表面２９３−hに当接して固定されている。
【００４０】
このような遮光部材２９７を設ける目的は、いわゆる迷光がレンズＬＳ1、ＬＳ2に入射するのを抑制するためである。つまり、各発光素子グループＥＧには、レンズＬＳ1、ＬＳ2の対からなる結像光学系がそれぞれ専用に設けられている。このような構成では、光ビームは、それ自身の射出源である発光素子グループＥＧに設けられた結像光学系ＬＳ1、ＬＳ2にのみ入射して結像されることが望ましい。しかしながら、光ビームの一部には、その射出源である発光素子グループＥＧに設けられた結像光学系ＬＳ1、ＬＳ2に向わずに迷光となってしまうものもある。そして、このような迷光が、それ自身の射出源でない発光素子グループＥＧに設けられた結像光学系ＬＳ1、ＬＳ2に入射してしまうと、いわゆるゴーストが発生してしまうおそれがある。これに対して、この実施形態では、発光素子グループＥＧと結像光学系ＬＳ1、ＬＳ2との間に遮光部材２９７が設けられている。この遮光部材２９７には、内壁に黒色メッキが施された導光孔２９７１が発光素子グループＥＧに開口して設けられているため、迷光の多くは導光孔２９７１の内壁で吸収されることとなる。その結果、先ほどのゴーストを抑制して、良好な露光動作の実現が図られる。
【００４１】
そして、上述のとおり、これらヘッド基板２９３および遮光部材２９７の厚さ方向ＴＫＤの一方側には、レンズアレイＬＡ1、ＬＡ2が設けられており、これらレンズアレイＬＡ1、ＬＡ2はスペーサーＳＰ1、ＳＰ2により支持されている。以下に、これらレンズアレイＬＡ1、ＬＡ2の支持構造の詳細について、図３〜図５に加えて図６、図７、図８を用いて説明する。
【００４２】
図６は、ラインヘッドの部分側面図であり、幅方向ＬＴＤからラインヘッド２９を平面視した場合に相当する。図７は、レンズアレイＬＡ1の支持態様を示す部分平面図であり、厚さ方向ＴＫＤから平面視した場合に相当する。図８は、レンズアレイＬＡ2の支持態様を示す部分平面図であり、厚さ方向ＴＫＤから平面視した場合に相当する。
【００４３】
ヘッド基板２９３の表面では、互いに同一の形状・大きさを有する複数のスペーサーＳＰ1が長手方向ＬＧＤに間隔ＣＬ1を空けて一列に並んでいる。また、このスペーサーＳＰ1の列は、幅方向ＬＴＤの両側に設けられている（図３、図５、図７）。こうして、厚さ方向ＴＫＤからの平面視において、スペーサーＳＰ1の列が、ヘッド基板裏面２９３−tの発光素子Ｅが形成された領域を幅方向ＬＴＤから挟んで２列配置されることとなる（換言すれば、遮光部材２９７を幅方向ＬＴＤから挟んで２列配置されることとなる）。なお、これらのスペーサーＳＰ1は、ヘッド基板２９３の表面２９３−hに接着剤等により固定されている。
【００４４】
このようにして、２列に配置されたスペーサーＳＰ1に対して、レンズアレイＬＡ1が幅方向ＬＴＤに架設されており、これにより、レンズアレイＬＡ1がヘッド基板２９３の厚さ方向ＴＫＤの一方側で位置決めされる。このとき、レンズアレイＬＡ1のレンズＬＳ1が形成された領域が、幅方向ＬＴＤに並ぶ２列のスペーサーＳＰ1の列の間に位置するように、レンズアレイＬＡ1は配置される。このレンズアレイＬＡ1は、長手方向ＬＧＤの両端が斜めに（方向Ｄlscと平行に）カットされた平行四辺形形状のガラス基板ＳＢを有している。そして、このガラス基板ＳＢの裏面には、光硬化性樹脂で形成された複数のレンズＬＳ1がアレイ配置されている。これら複数のレンズＬＳ1は、対向する発光素子グループＥＧの配置に対応して３行千鳥で配置されており（図４）、対向する発光素子グループＥＧに対して凸である。
【００４５】
そして、図３、図６、図７に示すように、複数のレンズアレイＬＡ1が長手方向ＬＧＤに並んで配設されている。つまり、この実施形態では、長手方向ＬＧＤに並ぶ複数のレンズアレイＬＡ1をスペーサーＳＰ1が支持して、１つの長尺レンズアレイＬ−ＬＡ1が構成されている。ちなみに、直方形状を有するスペーサーＳＰ1の長さＬsp1は、レンズアレイＬＡ1の幅方向ＬＴＤの端辺の長手方向ＬＧＤの長さＬla1より短く、１枚のレンズアレイＬＡ1は、長手方向ＬＧＤに並ぶ複数のスペーサーＳＰ1で支持される。具体的には、これらスペーサーＳＰ1のうち、中央スペーサーＳＰ1−bはレンズアレイＬＡ1の長手方向ＬＧＤの略中央を支持し、端部スペーサーＳＰ1−aは長手方向ＬＧＤに隣り合う２枚のレンズアレイＬＡ1、ＬＡ1の隙間ＢＤ1を跨いで、該レンズアレイＬＡ1、ＬＡ1を支持する。なお、スペーサーＳＰ1とレンズアレイＬＡ1とは接着剤等により固定されている。
【００４６】
このようにして構成された長尺レンズアレイＬ−ＬＡ1の厚さ方向ＴＫＤの一方面には、互いに同一の形状・大きさを有する複数のスペーサーＳＰ2が長手方向ＬＧＤに間隔ＣＬ2を空けて一列に並んでいる。また、このスペーサーＳＰ2の列は、幅方向ＬＴＤの両側に設けられている（図３、図５、図８）。こうして、厚さ方向ＴＫＤからの平面視において、スペーサーＳＰ2の列が、レンズアレイＬＡ1のレンズＬＳ1が形成された領域を幅方向ＬＴＤから挟んで２列配置されることとなる。なお、これらのスペーサーＳＰ2は、レンズアレイＬＡ1のガラス基板ＳＢの表面に接着剤等により固定されている。
【００４７】
このようにして、２列に配置されたスペーサーＳＰ2に対して、レンズアレイＬＡ2が幅方向ＬＴＤに架設されており、これにより、レンズアレイＬＡ2がレンズアレイＬＡ1の厚さ方向ＴＫＤの一方側で位置決めされる。このとき、レンズアレイＬＡ2のレンズＬＳ2が形成された領域が、幅方向ＬＴＤに並ぶ２列のスペーサーＳＰ2の列の間に位置するように、レンズアレイＬＡ2は配置される。このレンズアレイＬＡ2は、長手方向ＬＧＤの両端が斜めに（方向Ｄlscと並行に）カットされた平行四辺形形状のガラス基板ＳＢを有している。そして、このガラス基板ＳＢの裏面には、光硬化性樹脂で形成された複数のレンズＬＳ2がアレイ配置されている。これら複数のレンズＬＳ2は、対向する発光素子グループＥＧの配置に対応して３行千鳥で配置されており（図４）、対向する発光素子グループＥＧに対して凸である。
【００４８】
そして、図３、図６、図８に示すように、複数のレンズアレイＬＡ2が長手方向ＬＧＤに並んで配設されている。つまり、この実施形態では、長手方向ＬＧＤに並ぶ複数のレンズアレイＬＡ2をスペーサーＳＰ2が支持して、１つの長尺レンズアレイＬ−ＬＡ2が構成されている。ちなみに、直方形状を有するスペーサーＳＰ2の長さＬsp2は、レンズアレイＬＡ2の幅方向ＬＴＤの端辺の長手方向ＬＧＤの長さＬla2より短く、１枚のレンズアレイＬＡ2は、長手方向ＬＧＤに並ぶ複数のスペーサーＳＰ2で支持される。具体的には、これらスペーサーＳＰ2のうち、中央スペーサーＳＰ2−bはレンズアレイＬＡ2の長手方向ＬＧＤの略中央を支持し、端部スペーサーＳＰ2−aは長手方向ＬＧＤに隣り合う２枚のレンズアレイＬＡ2、ＬＡ2の隙間ＢＤ2を跨いで、該レンズアレイＬＡ2、ＬＡ2を支持する。なお、スペーサーＳＰ2とレンズアレイＬＡ2とは接着剤等により固定されている。
【００４９】
こうして２枚のレンズアレイＬＡ1およびレンズアレイＬＡ2は厚さ方向ＴＫＤに対向して配置されている。その結果、レンズアレイＬＡ1の複数のレンズＬＳ1とレンズアレイＬＡ2の複数のレンズＬＳ2とは一対一の対応関係で対向しており、互いに対向するレンズＬＳ1とレンズＬＳ2とは厚さ方向ＴＫＤからの平面視において重なり合うように、レンズアレイＬＡ1、ＬＡ2は位置調整がされている。
【００５０】
また、このように厚さ方向ＴＫＤに並べられた２枚のレンズアレイＬＡ1、ＬＡ2は、図９に示すような寸法関係を備えている。ここで、図９は、厚さ方向に並ぶレンズアレイの寸法関係を模式的に示す部分断面図であり、Ａ−Ａ線部分断面図を長手方向ＬＧＤ（主走査方向ＭＤ）から見た場合に相当する。同図に示すように、本実施形態では、幅方向ＬＴＤにおけるレンズアレイＬＡ2の幅Ｗla2は、幅方向ＬＴＤにおけるレンズアレイＬＡ1の幅Ｗla1よりも狭い（幅Ｗla2＜幅Ｗla1）。そして、幅方向ＬＴＤにおいて、レンズアレイＬＡ2の両端がレンズアレイＬＡ1の両端の内側に収まるように、レンズアレイＬＡ1、ＬＡ2は配設されている。ちなみに、図７、図８で示した長さＬla1および長さＬla2、すなわち、レンズアレイＬＡ1の幅方向ＬＴＤの端辺の長手方向ＬＧＤの長さＬla1およびレンズアレイＬＡ2の幅方向ＬＴＤの端辺の長手方向ＬＧＤの長さＬla2とは互いに等しい（長さＬla1＝長さＬla2）。
【００５１】
さらに、この実施形態では、長手方向ＬＧＤに長尺な平板形状を有する支持ガラスＳＳが設けられている。詳述すると、長手方向ＬＧＤにおいて、この支持ガラスＳＳはレンズアレイＬＡ2よりも長く形成されて、長尺レンズアレイＬ−ＬＡ2と略同じ長さを備えている。そして、この支持ガラスＳＳが長尺レンズアレイＬ−ＬＡ2の一方面に取り付けられており、言わば、支持ガラスＳＳが複数のレンズアレイＬＡ2をスペーサーＳＰ2の逆側から支持している。そして、この支持ガラスＳＳの表面（一方平面）が、感光体ドラム２１の表面にクリアランスを空けて対向する。こうして、本実施形態では、スペーサーＳＰ1、レンズアレイＬＡ1、スペーサーＳＰ2、レンズアレイＬＡ2および支持ガラスＳＳから光学ユニットＯＵが構成されている（図９）。
【００５２】
そして、この実施形態では、厚さ方向ＴＫＤに互いに対向するレンズＬＳ1とレンズＬＳ2とは、レンズＬＳ1の光軸とレンズＬＳ2の光軸とが一致または略一致するように配設されている、そして、これらレンズＬＳ1とレンズＬＳ2とが、反転した縮小像を形成する１つの結像光学系を構成する。より具体的には、横倍率が負であるとともに当該横倍率の絶対値が１未満である光学特性を結像光学系が有するように、レンズＬＳ1およびレンズＬＳ2それぞれの形状が設計されており、その結果、レンズＬＳ1とレンズＬＳ2とは互いに異なる形状を有している。そして、発光素子Ｅから射出された光ビームは、レンズＬＳ1、ＬＳ2を透過した後に支持ガラスＳＳの表面から射出されてスポットＳＴとして感光体ドラム２１表面に照射される（図５）。そして、特開２００８−０３６９３７号公報の図１１等に記載のように、感光体ドラム２１表面の副走査方向ＳＤへの移動に応じて各発光素子Ｅの発光を制御することで、主走査方向ＭＤに伸びるライン潜像を形成することができる。
【００５３】
以上のように、本実施形態のラインヘッド２９では、複数のレンズＬＳ1をアレイ状に配列したレンズアレイＬＡ1と、複数のレンズＬＳ2をアレイ状に配列したレンズアレイＬＡ2とが厚さ方向ＴＫＤ（光軸方向ＯＡ）に対向して配置しており、レンズＬＳ1とレンズＬＳ2とが１つの光学系として機能する。したがって、この光学系が適切な光学特性を発揮するためには、レンズＬＳ1から射出された光がレンズＬＳ2に入射するように（つまり、光がレンズＬＳ1、ＬＳ2の順に透過するように）レンズアレイＬＡ1およびレンズアレイＬＡ2が厚さ方向ＴＫＤに並ぶことが必要となる。しかしながら、レンズアレイＬＡ1およびレンズアレイＬＡ2はいずれも長手方向ＬＧＤにレンズＬＳ1、ＬＳ2を配列したものであって互いに似た構成を有している。そのため、製造時にこれらのレンズアレイＬＡ1、ＬＡ2が取り違えられてしまうことが考えられる。そこで、本実施形態では、レンズアレイＬＡ1の幅Ｗla1とレンズアレイＬＡ2の幅Ｗla2とが異なっている。したがって、レンズアレイＬＡ1およびレンズアレイＬＡ2とをそれぞれの幅Ｗla1、Ｗla2の違いに基づいて容易に区別することができ、レンズアレイＬＡ1とレンズアレイＬＡ2とのとり違いを防止することが可能となっている。なお、レンズアレイＬＡ1およびレンズアレイＬＡ2の幅Ｗla1、Ｗla2の違いは、組立作業者によって判断しても良いし、ＣＣＤセンサー(Charge Coupled Device Image Sensor)等を用いた画像認識装置によって判断しても良い。
【００５４】
また、本実施形態では、レンズアレイＬＡ2の幅Ｗla2はレンズアレイＬＡ1の幅Ｗla1より狭い。そのため、次のような効果が期待できる。つまり、画像形成装置内部においてラインヘッド２９は、感光体ドラム２１の表面にスポットＳＴを照射するために、感光体ドラム２１に近接して配置される。したがって、レンズアレイＬＡ2が感光体ドラム２１に近接して対向配置される。そこで、この実施形態では、レンズアレイＬＡ2の幅Ｗla2を、レンズアレイＬＡ1の幅Ｗla1よりも狭く構成しているのである。すなわち、このように構成した場合、感光体ドラム２１に近接して対向するレンズアレイＬＡ2の感光体ドラム２１周方向（副走査方向ＳＤ）への幅を抑えることができるため、ラインヘッド２９周りに他の機能部（帯電部２３）等の配置スペースを十分に確保して、感光体ドラム２１に対するラインヘッド２９のレイアウトの自由度を向上させることができる。
【００５５】
また、本実施形態では、レンズＬＳ1、ＬＳ2は光硬化性樹脂で形成されており、好適である。なぜなら、光硬化性樹脂は、光を照射することで速やかに硬化するため、レンズＬＳ1、ＬＳ2を簡便に作製することを可能とし、ラインヘッドを簡便に生産するのに有利となるからである。
【００５６】
その他
以上のように、上記実施形態では、ラインヘッド２９が本発明の「露光ヘッド」に相当し、感光体ドラム２１が本発明の「像担持体」に相当する。また、スペーサーＳＰ1、レンズアレイＬＡ1、スペーサーＳＰ2、レンズアレイＬＡ2および支持ガラスＳＳから光学ユニットＯＵが構成されている。また、長手方向ＬＧＤが本発明の「第１の方向」に相当し、幅方向ＬＴＤが本発明の「第２の方向」に相当し、レンズアレイＬＡ1が本発明の「第１のレンズアレイ」に相当し、レンズアレイＬＡ2が本発明の第２のレンズアレイに相当し、レンズＬＳ1が本発明の「第１のレンズ」に相当し、レンズＬＳ2が本発明の「第２のレンズ」に相当し、レンズアレイＬＡ1の幅Ｗla1が本発明の「第２の方向への第１のレンズアレイの長さ」に相当し、レンズアレイＬＡ2の幅Ｗla2が本発明の「第２の方向への第２のレンズアレイの長さ」に相当する。
【００５７】
なお、本発明は上記実施形態に限定されるものではなく、その趣旨を逸脱しない限りにおいて上述したものに対して種々の変更を加えることが可能である。そこで、例えば、上記実施形態では、レンズアレイＬＡ2の幅Ｗla2がレンズアレイＬＡ1の幅Ｗla1より狭い。しかしながら、これとは逆に、レンズアレイＬＡ2の幅Ｗla2がレンズアレイＬＡ1の幅Ｗla1より広くても良い。要するに、レンズアレイＬＡ2の幅Ｗla2とレンズアレイＬＡ1の幅Ｗla1とが異なれば、レンズアレイＬＡ1およびレンズアレイＬＡ2とをそれぞれの幅Ｗla1、Ｗla2の違いに基づいて容易に区別することができ、ラインヘッド２９の製造時におけるレンズアレイＬＡ1とレンズアレイＬＡ2とのとり違いを防止することが可能となる。
【００５８】
また、上記実施形態では、レンズアレイＬＡ1の幅方向ＬＴＤの端辺の長手方向ＬＧＤの長さＬla1およびレンズアレイＬＡ2の幅方向ＬＴＤの端辺の長手方向ＬＧＤの長さＬla2とは互いに等しい（長さＬla1＝長さＬla2）。しかしながら、これらの長さＬla1、Ｌla2が互いに異なっていても良い。
【００５９】
また、上記実施形態の結像光学系は、反転像を形成するものであったが、正転像（つまり、反転していない像）を形成するものであっても良い。
【００６０】
また、上記実施形態の結像光学系は、縮小像を形成するものであったが、等倍像あるいは拡大像を形成するものであっても良い。
【００６１】
また、上記実施形態では、レンズアレイＬＡ2を支持するためにガラス製の平板（支持ガラスＳＳ）を用いたが、レンズアレイＬＡ2を支持する部材をガラス以外の材料で構成することもできる。あるいは、この支持ガラスＳＳを排してラインヘッド２９を構成しても良い。
【００６２】
また、スペーサーＳＰ1、ＳＰ2の材料としては、種々の材料を採用することが可能であり、ガラス等の透明な部材をスペーサーＳＰ1、ＳＰ2として用いても良い。もちろん、ガラス以外のもので構成しても良く、例えば、スペーサーＳＰ2を鉄等の金属により構成しても良い。
【００６３】
また、上記実施形態では、複数のスペーサーＳＰ1は、同一の形状および大きさを備えていたが、これらについても種々の変更が可能である。さらに、複数のスペーサーＳＰ2についても同様の変更が可能である。
【００６４】
また、上記実施形態では、レンズアレイＬＡ1、ＬＡ2の裏面（厚さ方向ＴＫＤの他方面）にレンズＬＳ1、ＬＳ2が形成されていたが、レンズＬＳ1、ＬＳ2の形成位置はこれに限られない。
【００６５】
また、上記実施形態では、各レンズアレイＬＡ1、ＬＡ2において３行千鳥でレンズが並んでいたが、レンズの配置態様はこれに限られない。
【００６６】
また、上記実施形態では、レンズアレイＬＡ1、ＬＡ2は、ガラス製の光透過性基板ＳＢに樹脂製のレンズＬＳ1、ＬＳ2を形成したものであった。しかしながら、レンズアレイＬＡ1、ＬＡ2を１つの材料で一体的に構成することもできる。
【００６７】
また、上記実施形態では、複数の発光素子グループＥＧは３行千鳥で配置されていたが、複数の発光素子グループＥＧの配置態様はこれに限られない。
【００６８】
また、上記実施形態では、１５個の発光素子Ｅから発光素子グループＥＧが構成されている。しかしながら、発光素子グループＥＧを構成する発光素子Ｅの個数はこれに限られない。
【００６９】
また、上記実施形態では、発光素子グループＥＧ内において、複数の発光素子Ｅが２行千鳥で配置されていたが、発光素子グループＥＧ内での複数の発光素子Ｅの配置態様はこれに限られない。
【００７０】
また、上記実施形態では、発光素子Ｅとしてボトムエミッション型の有機ＥＬ素子が用いられている。しかしながら、トップエミッション型の有機ＥＬ素子を発光素子Ｅとして用いても良く、あるいは有機ＥＬ素子以外のＬＥＤ（Light Emitting Diode）等を発光素子Ｅとして用いても良い。
【符号の説明】
【００７１】
ＬＧＤ…長手方向、  ＬＴＤ…幅方向、  ＬＳ1、ＬＳ2…レンズ、  ＬＡ1、ＬＡ2…レンズアレイ、  Ｗla1…（レンズアレイＬＡ1の）幅、  Ｗla2…（レンズアレイＬＡ2の）幅、  ２９…ラインヘッド、  ＯＵ…光学ユニット、  ２１…感光体ドラム
【図１】
2011073228.tif 000003
【図２】
2011073228.tif 000004
【図３】
2011073228.tif 000005
【図４】
2011073228.tif 000006
【図５】
2011073228.tif 000007
【図６】
2011073228.tif 000008
【図７】
2011073228.tif 000009
【図８】
2011073228.tif 000010
【図９】
2011073228.tif 000011